(57)【要約】      （修正有）【課題】トレイの急激な傾きを抑え、安定した状態で移動できるトレイを備えたディスク装置を提供する。【解決手段】トレイ２をディスク再生位置からディスク着脱位置へと移動させる際、トレイ２の重心位置Ｓがフレーム１０の前壁部１０Ｃまで達すると、トレイ２が最も不安定となるが、その位置で案内レール１３の後端部上面に傾動緩和リブ１７を接触させることにより、トレイ２が急激に傾斜することなく移動する。【選択図】図１１
2007200507.tif 000002
【特許請求の範囲】
【請求項１】
ディスク状の記憶媒体を載置するトレイと、このトレイを支持するフレームと、前記トレイをディスク着脱位置とディスク再生位置との間で往復動自在に案内する案内手段とを備えたディスク装置であって、前記フレームに、該フレームから前記トレイが搬出移動するときに生じる該トレイの急激な傾きを抑える傾動緩和手段を設けたことを特徴とするトレイを備えたディスク装置。
【請求項２】
前記フレームは、前記トレイを案内する水平面部と、この水平面部の左右両側に一体形成する側壁部とを有し、前記案内手段は、前記トレイの両側縁下面に形成された案内レールと、前記水平面部から突設して前記案内レールの凹溝と係合する係合突部とで構成されるとともに、前記フレームの側壁部内側には前記案内レールの上面と当接して前記トレイの浮き上がりを抑える複数のガイドリブを一体形成したことを特徴とする請求項１記載のトレイを備えたディスク装置。
【請求項３】
前記傾動緩和手段は、少なくとも前記フレームから突出するトレイの一部と前記フレーム内のトレイの他部との間に前記トレイの重心が位置するときにおいて前記トレイの後部上面と当接するように設けられていることを特徴とする請求項１又は２記載のトレイを備えたディスク装置。
【請求項４】
前記傾動緩和手段が前記ガイドリブの間に位置して前記側壁部の内面に一体形成された傾動緩和リブによって構成されていることを特徴とする請求項３記載のトレイを備えたディスク装置。
【請求項５】
少なくとも前記トレイと接触する前記傾動緩和リブの下面には、ディスク着脱位置からディスク再生位置へと向かうトレイ受け入れ側端部から該トレイの挿入方向に向かって次第に低い傾斜面又は曲面で構成されていることを特徴とする請求項４記載のトレイを備えたディスク装置。
【請求項６】
案内レールの後端部に下向きの傾斜面又は曲面を形成したことを特徴とする請求項５記載のトレイを備えたディスク装置。
【発明の詳細な説明】
【技術分野】
【０００１】
本発明は、ディスク状の記憶媒体（以下、単にディスクと称す）をディスク着脱位置とディスク再生位置との間で往復動自在に案内し、ディスク再生位置においてディスクの記録或いは再生を行うディスク装置に関し、特に、ディスク再生位置からトレイが搬出移動する際に生じる前記トレイの急激な傾きを抑えることが可能なディスク装置に関する。
【背景技術】
【０００２】
従来からディスクの記録或いは再生を行うディスク装置は、据え置きのＤＶＤプレーヤやＣＤプレーヤ等に限られず、テレビジョン受像機本体にも内蔵されるなど、その適用は広範囲に及んでいる。このようなディスク装置は、ディスクを載置するトレイと、該トレイを移動自在に支持する樹脂製のフレームと、前記ディスクの記憶面にレーザー光を照射して該ディスクの再生或いは記憶面へ記録するピックアップユニットとを主要構成部材として備えている。そして、ディスクの記録或いは再生を行う際には、トレイをフレーム外側のディスク着脱位置まで移動させて該トレイ上にディスクを載置した後、該トレイをディスク再生位置まで移動させる。前記トレイが前記ディスク再生位置まで移動すると、該トレイに載置したディスクの略中央部分の開口部にターンテーブルの先端部分を嵌合させて該トレイからディスクを浮上させ、浮上したディスクをターンテーブルとクランパとで挟着し、前記ターンテーブルに取着するモータの回転駆動力によって該ディスクを回転させ、ピックアップユニットによって該ディスクに情報を書き込み記録する、或いは該ディスクに記録された情報を読み出して再生する。
【０００３】
ところで、前記ディスク再生位置から前記ディスク着脱位置へと搬出移動するトレイがフレームから突出する前記トレイの一部とフレーム内の前記トレイの他部との間に該トレイの重心が位置するときからさらに該トレイが突出すれば、前記フレームから突出するトレイの自重によって該トレイが急激に傾くこととなり、ディスク装置の品位を著しく低下させる要因となっていた。このため、例えば特許文献１では、トレイの下面両側縁に形成した各ガイド溝をフレームに形成するガイド部材に嵌合させることにより、トレイをディスク着脱位置からディスク再生位置へと往復動自在に案内するとともに、移動時におけるトレイの浮き上がりを防止するための複数の防止片がフレームの左右側壁内面に突設されている。また、この特許文献１で示すディスク装置は、フレームの左右側壁間に一体形成した合成樹脂製天板の一側部にスリットを形成することにより、トレイの一側縁上面に弾性的に接触させる略Ｌ字状押さえ片を形成することによって、移動時におけるトレイの急激な傾きを防止するとともに、フレームに略Ｕ字状の円弧面を形成し、該円弧面をトレイのガイド溝に弾性的に接触させてトレイの横方向におけるガタツキを抑えるようにしている。
【０００４】
【特許文献１】特開２００４−２５９３３６号公報
【発明の開示】
【発明が解決しようとする課題】
【０００５】
前記特許文献１で示すディスク装置は、天板に形成する押さえ片をトレイの上面部に弾性的に接触させて上下方向におけるトレイの傾きを抑え、かつ、フレームに形成するＵ字状の円弧面をトレイのガイド溝に弾性的に接触させて左右方向におけるトレイのガタツキを抑制するように構成しているため、トレイの移動時において、トレイには常に押さえ片及び円弧面による押圧力が加わり、これら押さえ片及び円弧面とトレイとの過度の接触によって擦れて異音や磨耗粉などが発生する虞れがある。また、これらの押さえ片及び円弧面の成形加工も複雑となり、コストの上昇を招く、という課題を有していた。
【０００６】
本発明は上述した問題点に鑑みてなされたものであり、簡単かつ安価な構造でトレイの急激な傾きを効果的に抑えることができるとともに、トレイの移動時において、異音や磨耗粉などの発生を抑制することが可能なトレイを備えたディスク装置を提供することを目的とする。
【課題を解決するための手段】
【０００７】
請求項１のトレイを備えたディスク装置は、ディスク状の記憶媒体を載置するトレイと、このトレイを支持するフレームと、前記トレイをディスク着脱位置とディスク再生位置との間で往復動自在に案内する案内手段とを備えたディスク装置であって、前記フレームに、該フレームから前記トレイが搬出移動するときに生じる該トレイの急激な傾きを抑える傾動緩和手段を設けたことを特徴とする。
【０００８】
請求項１の構成により、フレームからトレイが突出したディスク着脱位置において、トレイにディスクをセットする、又はトレイからディスクを取り出す。そして、ディスクの記録或いは再生を行う場合、駆動機構によってトレイをフレームの内側に移動させることによって、トレイ上に載置されたディスクがフレームの内側に完全に収納される。この状態にある位置がディスク再生位置であり、トレイ上のディスクがディスク再生位置まで移動すると、ターンテーブルが上昇し、ターンテーブルとクランパとでディスクを挟み付けた状態からモータの回転駆動力によるターンテーブルの回転によってディスクが回転すると同時にピックアップユニットからレーザー光が照射され、前記ピックアップユニットが前記ディスクの半径方向に移動してディスクに対する記録或いは再生処理が実行される。また、従来であれば、駆動機構によってディスク再生位置からディスク着脱位置へとトレイが搬出移動する際において、フレームから突出するトレイの重量が前記フレーム内にあるトレイの重量よりも大きくなる位置で前記トレイが急激に傾くこととなるが、本発明であれば、トレイは傾動緩和手段によって急激な傾きを抑えた状態で搬出される。
【０００９】
請求項２のトレイを備えたディスク装置は、請求項１記載のトレイを備えたディスク装置において、前記フレームは、前記トレイを案内する水平面部と、この水平面部の左右両側に一体形成する側壁部とを有し、前記案内手段は、前記トレイの両側縁下面に形成された案内レールと、前記水平面部から突設して前記案内レールの凹溝と係合する係合突部とで構成されるとともに、前記フレームの側壁部内側には前記案内レールの上面と当接して前記トレイの浮き上がりを押える複数のガイドリブを一体形成したことを特徴とする。
【００１０】
請求項２の構成により、駆動機構によってトレイを移動する際、フレームの水平面部から突設する係合突起とトレイの案内レールに形成する凹溝とが係合し、トレイは係合突起に沿ってディスク着脱位置からディスク再生位置或いはディスク再生位置からディスク着脱位置へと移動する。この時、フレームの側壁部内側に形成する複数のガイドリブが案内レールの上面と当接し、ガイドリブによってトレイの浮き上がりが抑制される。
【００１１】
請求項３のトレイを備えたディスク装置は、請求項１又は２記載のトレイを備えたディスク装置において、前記傾動緩和手段は、少なくとも前記フレームから突出するトレイの一部と前記フレーム内のトレイの他部との間に前記トレイの重心が位置するときにおいて前記トレイの後部上面と当接するように設けられていることを特徴とする。
【００１２】
請求項３の構成により、フレームから突出するトレイの一部とフレーム内のトレイの他部との間に前記トレイの重心が位置するときに、トレイの後部上面と傾動緩和手段とが当接する。
【００１３】
請求項４のトレイを備えたディスク装置は、請求項３記載のトレイを備えたディスク装置において、前記傾動緩和手段が前記ガイドリブの間に位置して前記側壁部の内面に一体形成された傾動緩和リブによって構成されていることを特徴とする。
【００１４】
請求項４の構成により、トレイはフレームから突出するトレイの一部とフレーム内のトレイの他部との間に前記トレイの重心が位置するときにおいて、トレイの後部上面と傾動緩和リブとが当接してトレイが急激に傾斜するように変動するのを抑えることができる。また、傾動緩和リブはトレイの浮き上がりを抑えるガイドリブとしての機能も果たす。
【００１５】
請求項５のトレイを備えたディスク装置は、請求項４記載のトレイを備えたディスク装置において、少なくとも前記トレイと接触する前記傾動緩和リブの下面には、ディスク着脱位置からディスク再生位置へと向かうトレイ受け入れ側端部から該トレイの挿入方向に向かって次第に低い傾斜面又は曲面で構成されていることを特徴とする。
【００１６】
請求項５の構成により、トレイをディスク着脱位置からディスク再生位置へと移動する際、トレイの案内レールの後端縁が傾動緩和リブの傾斜面又は曲面によって円滑に案内され、案内レールが傾動緩和リブへと確実に誘い込まれる。
【００１７】
請求項６のトレイを備えたディスク装置は、請求項５記載のトレイを備えたディスク装置において、案内レールの後端部に下向きの傾斜面又は曲面を形成したことを特徴とする。
【００１８】
請求項６の構成により、トレイをディスク着脱位置からディスク再生位置へと移動する際、トレイの案内レールは、案内レールの後端縁と傾動緩和リブとに形成する傾斜面によって円滑に案内され、案内レールが傾動緩和リブへと確実に誘い込まれる。
【発明の効果】
【００１９】
請求項１のトレイを備えたディスク装置によれば、ディスク状の記憶媒体を載置するトレイと、このトレイを支持するフレームと、前記トレイをディスク着脱位置とディスク再生位置との間で往復動自在に案内する案内手段とを備えたディスク装置であって、前記フレームに、該フレームから前記トレイが搬出移動するときに生じる該トレイの急激な傾きを抑える傾動緩和手段を設けたものであるから、ディスク再生位置からディスク着脱位置へとトレイを搬出移動するときにおいて、傾動緩和手段によってフレームから突出するトレイの重量が前記フレーム内にあるトレイの重量よりも大きくなる位置で前記トレイが急激に傾くことなく、品位を損なうことのない安定したトレイの搬出動作を実現することができる。
【００２０】
請求項２のトレイを備えたディスク装置によれば、請求項１記載のトレイを備えたディスク装置において、前記フレームは、前記トレイを案内する水平面部と、この水平面部の左右両側に一体形成する側壁部とを有し、前記案内手段は、前記トレイの両側縁下面に形成された案内レールと、前記水平面部から突設して前記案内レールの凹溝と係合する係合突部とで構成されるとともに、前記フレームの側壁部内側には前記案内レールの上面と当接して前記トレイの浮き上がりを抑える複数のガイドリブを一体形成したものであるから、トレイをディスク着脱位置からディスク再生位置或いはディスク再生位置からディスク着脱位置へと移動させる際、フレームの側壁部内側に形成する複数のガイドリブによってトレイが浮き上がることなく、安定した状態で移動することができる。
【００２１】
請求項３のトレイを備えたディスク装置によれば、請求項１又は２記載のトレイを備えたディスク装置において、前記傾動緩和手段は、少なくとも前記フレームから突出するトレイの一部と前記フレーム内のトレイの他部との間に前記トレイの重心が位置するときにおいて前記トレイの後部上面と当接するように設けられているものであるから、トレイが移動する際に最も不安定となるフレームから突出するトレイの一部とフレーム内のトレイの他部との間に前記トレイの重心が位置するときにおいて、前記トレイが急激に傾斜することなく、安定した状態で移動することができる。
【００２２】
請求項４のトレイを備えたディスク装置によれば、請求項３記載のトレイを備えたディスク装置において、前記傾動緩和手段が前記ガイドリブの間に位置して前記側壁部の内面に一体形成された傾動緩和リブによって構成されているから、トレイが移動する際に最も不安定となるフレームから突出するトレイの一部とフレーム内のトレイの他部との間に前記トレイの重心が位置するときにおいて、トレイの後部上面と傾動緩和リブとを当接させることによってトレイが急激に傾斜することなく、安定した状態で移動することができるとともに、傾動緩和リブをトレイの浮き上がりを抑えるガイドリブとして機能させることもできるから、フレームの成形加工も容易である。
【００２３】
請求項５のトレイを備えたディスク装置によれば、請求項４記載のトレイを備えたディスク装置において、少なくとも前記トレイと接触する前記傾動緩和リブの下面には、ディスク着脱位置からディスク再生位置へと向かうトレイ受け入れ側端部から該トレイの挿入方向に向かって次第に低い傾斜面又は曲面で構成されているから、トレイの案内レールを傾動緩和リブへと確実に誘い込むことができるとともに、案内レールと傾動緩和リブとの接触面積も小さいから、案内レールと傾動緩和リブとの接触時に擦れによる異音や磨耗粉などが発生することも抑制することができる。
【００２４】
請求項６のトレイを備えたディスク装置によれば、請求項５記載のトレイを備えたディスク装置において、案内レールの後端部に下向きの傾斜面又は曲面を形成したから、トレイの案内レールを傾動緩和リブへとより確実に誘い込むことができる。
【発明を実施するための最良の形態】
【００２５】
以下、本発明の具体的実施例について、添付図面を参照しながら説明する。なお、以下の実施態様は、本発明を具体化する際の一形態であって、本発明をその範囲内に限定するためのものではない。
【００２６】
図１乃至図１１は本発明の一実施例を示すものであり、図１は本発明の一実施例を示すディスク装置の斜視図、図２はフレーム単体を示す斜視図、図３はフレーム単体を示す平面図、図４はフレーム単体を示す断面図、図５はトレイ単体を示す斜視図、図６はトレイ単体を示す平面図及び背面図、図７は蓋体を取り外した状態を示すディスク装置の斜視図、図８はディスク再生位置における蓋体を取り外した状態のディスク装置の平面図、図９はトレイの移動状態を示す蓋体を取り外したディスク装置の平面図、図１０はディスク着脱位置における蓋体を取り外した状態のディスク装置の平面図、図１１はトレイとフレームとの位置関係を示す断面図である。
【００２７】
同図に示すように、本実施例のディスク装置１は、図示しないディスクを搬入／搬出するトレイ２と、前記ディスクを回転駆動するターンテーブル４及びディスクの半径方向へ進退可能に設けたピックアップユニット５などから成るトラバースユニット６を主要構成部品とし、これらの主要構成部品を組み付ける合成樹脂製のフレーム１０で構成している。
【００２８】
前記フレーム１０は、水平面部１０Ａと、この水平面部１０Ａの左右両側に一体形成する側壁部１０Ｂと、水平面部１０Ａの前後に一体形成する前壁部１０Ｃ及び後壁部１０Ｄとで構成された有底箱型に形成され、その上面開口部は蓋体１１で密閉される。前記トラバースユニット６は前記水平面部１０Ａのほぼ中央部に取り付けられ、前記トラバースユニット６に取り付けられるターンテーブル４と対向して前記フレーム１０の上面開口部を覆う前記蓋体１１にクランパ４Ａが固定され、このクランパ４Ａとターンテーブル４とでディスクを挟持して前記ディスクを回転駆動する。
【００２９】
前記トレイ２は前記フレーム１０の水平面部１０Ａに支持されて水平方向に往復動するものであり、前記トレイ２の両側縁下面に凹溝１２を備えた左右一対の案内レール１３を形成し、この案内レール１３の凹溝１２に係合する複数の係合突部１４を前記水平面部１０Ａの両側に形成する段差部１５に形成している。すなわち、案内レール１３と係合突部１４とで前記トレイ２を案内する案内手段を構成し、トレイ２は、案内レール１３の凹溝１２と嵌合する係合突部１４に沿ってディスク着脱位置とディスク再生位置との間を往復動する。また、前記フレーム１０の側壁部１０Ｂには、トレイ２の浮き上がりを押えるために案内レール１３の上面と当接する複数のガイドリブ１６が側方に向かって突設されている。このガイドリブ１６は、図４に示すようトレイ２の前端寄りに二つのガイドリブ１６がそれぞれ並設されるとともにトレイ２の後端寄りに一つのガイドリブ１６が一体形成され、さらに、これら三つのガイドリブ１６と並んでフレーム１０の側壁部１０Ｂのほぼ中央部にトレイ２の急激な傾きを抑える傾動緩和手段として傾動緩和リブ１７が一体形成されている。これらガイドリブ１６と傾動緩和リブ１７は、前記トレイ２の案内レール１３がフレーム１０の係合突部１４に沿って移動する際、案内レール１３の上面に当接するように、それぞれ水平方向に間隔をおいて並設されている。すなわち、トレイ２は、フレーム１０に形成されるガイドリブ１６と傾動緩和リブ１７によって浮き上がりが抑制される。
【００３０】
前記傾動緩和リブ１７は、前記トレイ２の移動時において、フレーム１０から突出するトレイ２の一部と前記フレーム１０内のトレイ２の他部との間に前記トレイ２の重心がある位置、すなわち、図１１（ｂ）で示すように、トレイ２の重心位置Ｓがフレーム１０の前壁部１０Ｃまで達した位置において、前記案内レール１３の後端部上面と接触するようにフレーム１０の内面に形成されている。また、前記案内レール１３と接触するガイドリブ１６と傾動緩和リブ１７の下面には、前記トレイ２がディスク着脱位置からディスク再生位置へと移動する際、案内レール１３の後端縁を誘い込むように案内レール１３の受け入れ側となるガイドリブ１６及び傾動緩和リブ１７の前端側からトレイ２の挿入方向に向かって次第に低くなる傾斜面１６Ａ、１７Ａがそれぞれ形成され、さらに、案内レール１３の後端部にも下向きの傾斜面１３Ａが形成されている。
【００３１】
また、前記トレイ２は射出成形などにより成形され、全体として平板状に成形されている。このトレイ２の上面には、図５に示されるように、段付きのほぼ円形の凹部２Ａ,２Ｂが形成してあり、１段目の凹部２Ａには、例えば１２センチＣＤなどのディスクが載置でき、２段目の凹部２Ｂには、例えば８センチＣＤなどのディスクが載置できる。また、トレイ２には、フレーム１０内に収納されるときに、ターンテーブル４やピックアップユニット５などと機械的に干渉しないように、開口窓部２０が形成されている。
【００３２】
以上のように構成されるディスク装置１は、前記トレイ２が図示しないトレイ駆動機構によってフレーム１０の内側から前記フレーム１０の外側に移動すると、トレイ２の上面に形成する凹部２Ａ,２Ｂが完全にフレーム１０の外側へと露出した状態で図示しないストッパ機構によってトレイ２の駆動が停止し、凹部２Ａ又は凹部２Ｂへのディスクの載置、或いは凹部２Ａ又は凹部２Ｂに載置されたディスクの取り出しが可能となり、この位置がディスク着脱位置となる（図１１（ｃ）参照）。そして、ディスク着脱位置においてトレイ２の凹部２Ａ又は凹部２Ｂにディスクを載置し、トレイ駆動機構によって前記トレイ２が載置されたディスクと共にトレイ２がフレーム１０の内側へと完全に収納される。この状態では、ディスクの略中央部分の開口部とターンテーブル４及びクランパ４Ａとが一致し、この状態にある位置がディスク再生位置（図１１（ａ）参照）となり、トラバースユニット６が上昇して該トラバースユニット６に取り付けたターンテーブル４とクランパとでディスクを挟み付けた状態でモータの回転駆動力によるターンテーブル４の回転によってディスクが回転し、同時にピックアップユニット５からレーザー光が照射され、前記ピックアップユニット５がディスクの半径方向に移動してディスクに対する記録或いは再生処理が実行される。
【００３３】
また、前記トレイ２は、ディスク着脱位置からディスク再生位置或いはディスク再生位置からディスク着脱位置へと移動する際、案内レール１３の凹溝１２と嵌合する係合突部１４に沿ってディスク着脱位置とディスク再生位置との間を往復動する。この時、トレイ２の移動に際し、案内レール１３の上面にはフレーム１０の側壁部１０Ｂに一体形成する複数のガイドリブ１６と傾動緩和リブ１７が接触することから、これらガイドリブ１６と傾動緩和リブ１７によってトレイ２の浮き上がりが抑制され、安定した状態で案内される。
【００３４】
そして、トレイ２がディスク再生位置からディスク着脱位置へと移動する際、フレーム１０から突出するトレイ２の一部と前記フレーム１０内のトレイ２の他部との間に前記トレイ２の重心がある位置、すなわち、図１１（ｂ）で示すように、トレイ２の重心位置Ｓがフレーム１０の前壁部１０Ｃまで達した位置において、トレイ２の案内レール１３の後端部上面に傾動緩和リブ１７が接触する。これにより、フレーム１０から突出するトレイ２の急激な傾きを傾動緩和リブ１７によって抑えることができ、トレイ２は安定した状態で移動する。そして、図１１（ｃ）に示すように、最終的にはトレイ２がディスク着脱位置への移動を完了し、凹部２Ａまたは２Ｂへのディスクの載置或いはディスクの交換が可能となる。また、トレイ２の後端寄りはフレーム１０の前端側に形成する二つのガイドリブ１６によって支持され、ユーザーが外側へと突出したトレイ２を故意に上下方向へと動かした際の外れを防止することができる。
【００３５】
一方、案内レール１３と接触するガイドリブ１６と傾動緩和リブ１７の下面には、前記案内レール１３を誘い込むように傾斜した傾斜面１６Ａ、１７Ａをそれぞれ形成しており、さらに、前記案内レール１３の後端部には下向きの傾斜面１３Ａを形成しているから、トレイ２がディスク着脱位置からディスク再生位置へと移動する際においては、前記トレイ２の案内レール１３の後端縁が傾斜面１３Ａ、１６Ａ、１７Ａによって円滑に案内され、ガイドリブ１６と傾動緩和リブ１７へと確実に誘い込まれ、最終的に前記トレイ２はフレーム１０の内側に収まるディスク再生位置への移動が完了する。そして、ディスク再生位置にあるトレイ２は前後及び中間部がガイドリブ１６と傾動緩和リブ１７で支持される。また、トレイ２の案内レール１３がガイドリブ１６と傾動緩和リブ１７と接触している状態においては、傾斜面１６Ａ、１７Ａによって案内レール１３とガイドリブ１６及び傾動緩和リブ１７との接触面積も小さいから、案内レール１３とガイドリブ１６及び傾動緩和リブ１７との接触時に擦れて異音や磨耗粉などが発生することも抑制することができる。
【００３６】
以上のように、本実施例におけるディスク装置１は、トレイ２を前進又は後退させる際、案内レール１３の上面にフレーム１０の側壁部１０Ｂに一体形成する複数のガイドリブ１６と傾動緩和リブ１７を接触させることによって、トレイ２の浮き上がりを抑制することができるとともに、トレイ２の移動時において、フレーム１０から突出するトレイ２の一部と前記フレーム１０内のトレイ２の他部との間に前記トレイの重心がある位置、すなわち、トレイ２の重心Ｓがフレーム１０の前壁部１０Ｃまで達した位置において、トレイ２の案内レール１３の後端部上面に傾動緩和リブ１７が接触することから、フレーム１０から突出するトレイ２の自重によって前記トレイ２が急激に傾くことなく、品位の向上が可能な安定したトレイ２の移動動作を実現することができる。また、案内レール１３と接触するガイドリブ１６と傾動緩和リブ１７の下面にそれぞれ傾斜面１６Ａ、１７Ａを形成するとともに、案内レール１３の後端部にも下向き傾斜面１３Ａを形成することにより、案内レール１３がガイドリブ１６及び傾動緩和リブ１７に円滑に案内され、案内レール１３を確実に誘い込むことができる。さらに、傾斜面１６Ａ、１７Ａによって案内レール１３とガイドリブ１６及び傾動緩和リブ１７との接触面積を小さく抑えることができ、案内レール１３とガイドリブ１６及び傾動緩和リブ１７との接触時において異音や磨耗粉などの発生も抑制することができる。
【００３７】
また、トレイ２がフレーム１０から最も突出したディスク着脱位置においては、トレイ２の凹部２Ａ又は凹部２Ｂにディスクをセットしたり、凹部２Ａ又は凹部２Ｂからディスクを抜き取ることから、ユーザーがトレイ２に触れて前記トレイ２が上側または下側に傾斜する危険性が最も高いが、ディスク着脱位置にあるトレイ２の後端寄りをフレーム１０の前端側に形成する二つのガイドリブ１６で支持することによって、トレイ２を極めて安定した状態で保持できる。また、トレイ２の搬送時における急激な傾きを抑える傾動緩和リブ１７は、移動時におけるフレーム１０の浮き上がりを押えるガイドリブとして機能するからフレーム１０の成形加工も容易である。
【００３８】
以上、本発明の一実施例を詳述したが、本発明は前記実施例に限定されるものでなく、本発明の要旨の範囲内で種々の変形実施が可能である。例えば、案内レール１３を誘い込むためのガイドリブ１６及び傾動緩和リブ１７や案内レール１３の後端部に平坦的な傾斜面１３Ａ、１６Ａ、１７Ａを形成した例を示したが、曲面状に形成してもよく、ガイドリブ１６や傾動緩和リブ１７の形状あるいは数などは適宜選定すればよい。また、ディスク装置１の基本的構造なども前記実施例に限定されるものでなく、適宜選定すればよい。
【図面の簡単な説明】
【００３９】
【図１】本発明の一実施例を示すディスク装置の斜視図である。
【図２】同上、フレーム単体を示す斜視図である。
【図３】同上、フレーム単体を示す平面図である。
【図４】同上、フレーム単体を示す断面図である。
【図５】同上、トレイ単体を示す斜視図である。
【図６】同上、トレイ単体を示し、図６（ａ）は平面図、図６（ｂ）は背面図である。
【図７】同上、蓋体を取り外した状態を示すディスク装置の斜視図である。
【図８】同上、ディスク再生位置における蓋体を取り外した状態のディスク装置の平面図である。
【図９】同上、トレイの移動状態を示す蓋体を取り外したディスク装置の平面図である。
【図１０】同上、ディスク着脱位置における蓋体を取り外した状態のディスク装置の平面図である。
【図１１】同上、トレイの移動状態を示す断面図であり、図１１（ａ）はディスク再生位置、図１１（ｂ）トレイ後端部と傾動緩和リブとが接触した状態、図１１（ｃ）はディスク着脱位置を示している。
【符号の説明】
【００４０】
１    ディスク装置
２    トレイ
１０  フレーム
１０Ａ  水平面部
１０Ｂ  側壁部
１２  凹溝
１３  案内レール（案内手段）
１４  係合突部（案内手段）
１５  段差部
１６  ガイドリブ
１６Ａ，１７Ａ，１３Ａ  傾斜面
１７  傾動緩和リブ（傾動緩和手段）
【図１】
2007200507.tif 000003
【図２】
2007200507.tif 000004
【図３】
2007200507.tif 000005
【図４】
2007200507.tif 000006
【図５】
2007200507.tif 000007
【図６】
2007200507.tif 000008
【図７】
2007200507.tif 000009
【図８】
2007200507.tif 000010
【図９】
2007200507.tif 000011
【図１０】
2007200507.tif 000012
【図１１】
2007200507.tif 000013